(57)【要約】      （修正有）【課題】コネクタロックをコネクタポートに装着することにより施錠し、端末からの開錠信号により開錠し、不正開錠時には端末より警告を発するコネクタロックを提供する。【解決手段】ロックガイド４のスプリングガイド部２３にガイドスプリング１２を取り付け、同時にヒンジガイド６のロックガイド取付孔２４にロックガイド凸部２２を係合する。端子回路アッシー９は、ヒンジガイド６とソレノイドアッシー８とスクリューＡ１４によって共締めする。スライドプレート３はヒンジガイド６の後方より組込み、スプリング受部２７とリリーススプリング１１によりソレノイドアッシー８後部に配設し、ロックピン１０にピンスプリング１３を取付け、グリップ２のロックピンスイッチ部に配設し、コネクタアッシーをスクリューＢ１５にて組み込まれた構成とする。【選択図】図３
2009059327.tif 000002
【特許請求の範囲】
【請求項１】
施錠対象端末のコネクタに設けられたコネクタポートに、コネクタヘッドを差し込んだ時に自動的に施錠しコネクタヘッドが抜けないようにする錠機構を設けたことを特徴とするコネクタロックであって、
前記係止手段はコネクタヘッドをスライドプレート及び係止部材に分割することにより、スライドプレートがコネクタポート底面に当たるとスライドプレート及び係止部材のテーパ構造により係止部材が開口しコネクタポート内壁に圧着すると同時にスライドプレートにあるソレノイド勘合孔にソレノイドピンが挿入し施錠状態を維持するコネクタロック。
【請求項２】
請求項１と連動しグリップ部に開閉する閂機構を有することより収束コード着脱を容易にすることを特徴とするコネクタロックであって、
前記構造手段は請求項１のスライドプレート後端にピンスプリング及びロックピンを配置し施錠時はスライドプレートが後端部に移動していてロックピンと接触しているのでロックピンは固定されるために収束コードは外す事ができなくなる、開錠時はスライドプレートが前端部にあるのでスプリングピンにて後方に押さえつけられているロックピンを前方に移動することにより容易に収束コード着脱が可能なコネクタロック。
【請求項３】
開錠時には施錠対象端末もしくは管理端末より開錠信号をコネクタ端子、回路より受信してソレノイドピンをソレノイド勘合孔より抜けてスライドプレートが自らコネクタポート底面を押すことにより自動的に脱出する請求項１または請求項２記載のコネクタロック。
【請求項４】
盗難等の不正開錠もしくは破壊行為によりコネクタロックを外した場合はコネクタポートより端末に異常信号を発信し、端末は導入されたソフトウェアにより警告を発生させることを特徴とし請求項１より請求項３のいずれかの請求項を含むコネクタロック。
【発明の詳細な説明】
【技術分野】
【０００１】  この発明は、端末の盗難防止を目的とするＵＳＢコネクタ及び汎用性コネクタに関し、コネクタロックをコネクタポートに装着することにより施錠し、端末からの開錠信号により開錠し、不正開錠時には端末より警告を発することを特徴とするコネクタロックに関する。
【背景技術】
【０００２】  従来の端末の盗難防止に用いる錠前は、特許文献１は図２０に示すように端末に係合させた金具と拘束コードを南京錠等にて連結することにより、盗難防止したものである。特許文献２においてはＬＡＮもしくは電話線コネクタにおける限定機能でありまた自動脱出機能を有していていない。特許文献３においてはコネクタポート側に機構部があめに既存のコネクタポートには対応できない。
【特許文献１】  特開平１１−１４８２６２号公報
【特許文献２】  特開２００５−３３２６４１号公報
【特許文献３】  特開２００６−１３３９２０号公報
【発明の開示】
【発明が解決しようとする課題】
【０００３】  そのために以下のような問題点があった。
（イ）端末とは関連のない独立した錠前にて施錠するため端末上で開錠及び管理できない。
（ロ）ＬＡＮもしくは電話線コネクタのような脱け防止機構のついた端子にしか対応できない。
（ハ）コネクタポートに機構があるため既存の端末には対応が不可能で改造が必要である。
（ニ）盗難及び不正開錠時に警告・連絡手段が無い。
本発明は以上の問題点を解決しようとするものである。
【課題を解決するための手段】
【０００４】（イ）施錠対象端末のコネクタに設けられたコネクタポートに、コネクタヘッドを差し込んだ時に自動的に施錠しコネクタヘッドが抜けないようにする錠機構を設けたことを特徴とするコネクタロックであって、前記係止手段はコネクタヘッドをスライドプレート及び係止部材に分割することにより、スライドプレートがコネクタポート底面に当たるとスライドプレート及び係止部材のテーパ構造により係止部材が開口しコネクタポート内壁に圧着すると同時にスライドプレートにあるソレノイド勘合孔にソレノイドピンが挿入し施錠状態を維持するコネクタロック。
（ロ）（イ）と連動しグリップ部に開閉する閂機構を有することより収束コード着脱を容易にすることを特徴とするコネクタロックであって、前記構造手段は（イ）のスライドプレート後端にピンスプリング及びロックピンを配置し施錠時はスライドプレートが後端部に移動していてロックピンと接触しているのでロックピンは固定されるために収束コードは外す事ができなくなる、開錠時はスライドプレートが前端部にあるのでスプリングピンにて後方に押さえつけられているロックピンを前方に移動することにより容易に収束コード着脱が可能なコネクタロック。
（ハ）開錠時には施錠対象端末もしくは管理端末より開錠信号をコネクタ端子、回路より受信してソレノイドピンをソレノイド勘合孔より抜けてスライドプレートが自らコネクタポート底面を押すことにより自動的に脱出する（イ）及び（ロ）記載のコネクタロック。
（ニ）盗難等の不正開錠もしくは破壊行為によりコネクタロックを外した場合はコネクタポートより端末に異常信号を発信し、端末は導入されたソフトウェアにより警告を発生させることを特徴とし（イ）（ロ）及び（ハ）のいずれかの請求項を含むコネクタロック。
【発明の効果】
【０００５】（イ）コネクタヘッドに錠機構を装備することにより、コネクタポートに装着するだけで施錠状態となる。
（ロ）グリップ開口部にコネクタ錠機構に連動する閂機構を設けることにより、収束コードが簡単に装脱着が可能になる。
（ハ）開錠時には端末のソフトウェアの開錠信号により電気的に開錠し、コネクタポートより自ら脱出可能になる。
（ニ）本発明は既存コネクタポートの状態にて実施可能である。
（ホ）不正開錠・破壊行為にはソフトウェアを利用して端末もしくはメールにて警告を発することができる。
（ヘ）本発明は本来のコネクタ機能と同時装着可能であるために利便性の向上が向上する。
（ホ）既存の防犯装置との兼用にてより防犯性を高めることが可能である。
【発明を実施するための最良の例】
【０００６】
【実施例１】
【０００７】  この発明の一実施例を、説明する。
盗難防止のため図１に示すように端末３５と机３９をコネクタロック３４と拘束コード３７によって繋止する。【０００８】  図２及び図３に示すようにロックガイド４のスプリングガイド部２３にガイドスプリング１２を取り付け同時にヒンジガイド６のロックガイド取付孔２４にロックガイド凸部２２を係合する。端子回路アッシー９はヒンジガイド６とソレノイドアッシー８とスクリューＡ１４によって共締めする。スライドプレート３はヒンジガイド６の後方より組込み、スプリング受部２７とリリーススプリング１１によりソレノイドアッシー８後部に配設する。上記組立をコネクタアッシー３３とする。【０００９】  図２及び図４に示すようにロックピン１０にピンスプリング１３を取付けグリップ２のロックピンスイッチ部３１に配設、コネクタアッシー３３をスクリューＢ１５にて組み込まれた構成とする。【００１０】  本実施例は以上のように構成されている、これを使用する場合、施錠時は次のようになる。
図５及び図６に示すように、コネクタヘッドを端末のコネクタポート部に挿しこむことによりコネクタポート部後端部底面にスライドプレート３が当たりさらに押し込むことによりスライドプレートテーパ部２０がロックガイドテーパ部２１を押し広げる。さらにスライドプレート３を押し込むことによりソレノイド勘合孔１９にソレノイドピン２９が挿入しロックガイド４がＵＳＢポート部内壁に圧着しコネクタロックが施錠される。
またロックピン１０は、スライドプレート３後端部のスプリング受部２５が後退し固定されるために拘束コードの取り付け開口部１６が閉鎖し拘束コード３７の取り外しが不可能となる。【００１１】  開錠時は次のようになる。
図７及び図８に示すように、端末内ソフトウェアより開錠信号と電源が端子１７を経由してリレー回路１８に送られることによりソレノイドピン２９がソレノイド勘合孔１９より外れる事により、スライドプレート３後端部にあるリリーススプリング１１がスライドプレートを押し出すことによりコネクタポートより自ら外れ開錠となる。
またロックピン１０は、スライドプレート３後端部のスプリング受部２５が前方に開放される。そこでロックピンスイッチ部３１のボタン部３０をＯＰＥＮ方向に移動させることにより開口部１６にあるロックピン１０が開口状態になり拘束コード３７の取り外しが可能となる。
【実施例２】
【００１２】  実施例２では図９に示すようにグリップ３の開口部１６を丸貫通孔１６ａにし収束コード取り付け閂機構を省略したものである。
【実施例３】
【００１３】  実施例３では、図１０及び図１１に示すようにロッククロー５にガイドスプリング１２を取着し同時に端子回路アッシー９ａに配設する。端子回路アッシー９ａとコネクタガイド７とソレノイドアッシー８とスクリューＡ１４によって共締めする。スライドプレート３ａはコネクタガイド７の後方より組込み、スプリング受部２７とリリーススプリング１１によりソレノイドアッシー８後部に配設する。上記組立をコネクタアッシー３３ａとする。【００１４】  図１０及び図１２に示すようにロックピン１０にピンスプリング１３を取着しグリップ２のロックピンスイッチ部３１に配設し、コネクタアッシー３３ａをスクリューＢ１５にて組み込まれた構成とする。【００１５】  実施例３では以上のように構成されている、これを使用する場合、施錠時は次のようになる。
図１３及び図１４に示すように、コネクタヘッドを端末のコネクタポート部に挿しこむことによりコネクタポート部後端部底面にスライドプレート３ａが当たりさらに押し込むことによりスライドプレートテーパ部２０ａがロッククロー５を押し広げる。
さらにスライドプレート３ａを押し込むことによりソレノイド勘合孔１９にソレノイドピン２９が挿入しロッククロー５を咬止しコネクタポート部内壁に係止しコネクタロックが施錠される。
またロックピン１０は、スライドプレート３ａ後端部のスプリング受部２５が後退し固定されるために拘束コードの取り付け開口部１６が閉鎖し固定され拘束コード３７の取り外しが不可能となる。【００１６】  開錠時は次のようになる。
図１５及び図１６に示すように、端末内ソフトウェアより開錠信号と電源がコネクタ端子１７を経由してリレー回路１８に送られることによりソレノイドピン２９がソレノイド勘合孔１９より外れる事により、スライドプレート３ａ後端部にあるリリーススプリング１１がスライドプレート３ａを押し出すことによりロッククロー５が自由状態になりコネクタポートより自ら外れ開錠となる。
またロックピン１０は、スライドプレート３ａ後端部のスプリング受部２５が前方に開放される。そこでロックピンスイッチ部３１のボタン部３０をＯＰＥＮ方向に移動させることにより開口部１６にあるロックピン１０が開口状態になり拘束コード３７の取り外しが可能となる。
【実施例４】
【００１７】  実施例４では、ＵＳＢコネクタを使用し圧着方向を横方向としたが、他の実施例では、各種コネクタ、各方向よりの圧着もしくは勘合孔でも良い。【００１８】コネクタロックにおけるソフトウェアのフローチャート以下に示す。
施錠時は次のようになる。
コネクタロックにおけるソフトウェアの施錠フローチャートを図１７に示す。
（イ）コネクタロックをコネクタポートに装着することによりコネクタロックが施錠すると同時にパソコンに施錠信号が送られる。
（ロ）パソコンに常駐しているソフトウェアより暗証の有無を確認する。
（ハ）暗証がある場合で暗証の変更意思の確認し変更しない場合施錠完了表示し終了する。
（ニ）暗証がある場合で暗証を変更する場合、既存の暗証の入力し正誤確認し正の場合新しい暗証を２度入力し新暗証にて施錠完了表示し終了する。
（ホ）暗証がない場合、暗証を２度入力し新暗証にて施錠完了表示し終了する。【００１９】  開錠時は次のようになる。
コネクタロックにおけるソフトウェアの開錠フローチャートを図１８に示す。
（イ）ソフトウェアを起動する。
（ロ）コネクタロック挿入有無を確認し、挿入されていない場合挿入無表示し終了する。
（ハ）挿入されている場合、施錠状態を表示し、暗証入力要求する。
（ニ）暗証があっている場合、開錠表示とともに開錠信号をコネクタロックに送信する。
（ホ）コネクタロックソレノイド作動し開錠しソフトウェアを終了する。
（ヘ）暗証が異なる場合３回確認後異なる場合ソフトウェアを終了する。【００２０】  不正開錠は次のようになる。
コネクタロックにおけるソフトウェアの開錠フローチャートを図１９に示す。
（イ）コネクタロックを無理やり外すことにより端末がコネクタ脱出信号を受信する
（ロ）端末がソフトウェアを起動し警告アラーム及びメールを発信する。
（ハ）暗証入力要求し暗証があっている場合アラーム終了、暗証合致メール発信しソフトウェアを終了する。
【図面の簡単な説明】
【００２１】
【図１】この発明を利用した端末盗難防止の実施例１を示す外観図である。
【図２】この発明の実施例１を示す外観図である。
【図３】この発明の実施例１を示す構成図である。
【図４】この発明の実施例１を示す組立図である。
【図５】この発明の実施例１の施錠状態を示す上面透視図である。
【図６】この発明の実施例１の施錠状態を示す側面透視図である。
【図７】この発明の実施例１の開錠状態を示す上面透視図である。
【図８】この発明の実施例１の開錠状態を示す側面透視図である。
【図９】この発明の実施例２を示す外観図である。
【図１０】この発明の実施例３を示す外観図である。
【図１１】この発明の実施例３を示す構成図である。
【図１２】この発明の実施例３を示す組立図である。
【図１３】この発明の実施例３の施錠状態を示す上面透視図である。
【図１４】この発明の実施例３の施錠状態を示す側面透視図である。
【図１５】この発明の実施例３の開錠状態を示す上面透視図である。
【図１６】この発明の実施例３の開錠状態を示す側面透視図である。
【図１７】この発明のソフト施錠状態を示すフローチャート図である。
【図１８】この発明のソフト開錠状態を示すフローチャート図である。
【図１９】この発明のソフト不正開錠状態を示すフローチャート図である。
【図２０】従来の端末盗難防止の一実施例を示す外観図である。
【符号の説明】
【００２２】  １          コネクタヘッド
２    ２ａ  グリップ
３    ３ａ  スライドプレート
４          ロックガイド
５          ロッククロー
６          ヒンジガイド
７          コネクタガイド
８          ソレノイドアッシー
９    ９ａ  端子回路アッシー
１０          ロックピン
１１          リリーススプリング
１２          ガイドスプリング
１３          ピンスプリング
１４          スクリューＡ
１５          スクリューＢ
１６  １６ａ  開口部（丸貫通孔）
１７          端子
１８          リレー回路
１９          ソレノイド勘合孔
２０  ２０ａ  テーパ部（スライドプレート）
２１          テーパ部（ロックガイド）
２２          ロックガイド凸部
２３          スプリングガイド部
２４          ロックガイド取付孔
２５          スプリングガイド部
２６          ねじ取付孔Ａ
２７          スプリング受部
２８          ねじ取付孔Ｂ
２９          ソレノイドピン
３０          ボタン部
３１          ロックピンスイッチ部
３２          クロー孔
３３  ３３ａ  コネクタアッシー
３４  ３４ａ  コネクタロック
３５          端末
３６          南京錠
３７          拘束コード
３８          金具
３９          机
【図１】
2009059327.tif 000003
【図２】
2009059327.tif 000004
【図３】
2009059327.tif 000005
【図４】
2009059327.tif 000006
【図５】
2009059327.tif 000007
【図６】
2009059327.tif 000008
【図７】
2009059327.tif 000009
【図８】
2009059327.tif 000010
【図９】
2009059327.tif 000011
【図１０】
2009059327.tif 000012
【図１１】
2009059327.tif 000013
【図１２】
2009059327.tif 000014
【図１３】
2009059327.tif 000015
【図１４】
2009059327.tif 000016
【図１５】
2009059327.tif 000017
【図１６】
2009059327.tif 000018
【図１７】
2009059327.tif 000019
【図１８】
2009059327.tif 000020
【図１９】
2009059327.tif 000021
【図２０】
2009059327.tif 000022